(57)【要約】【課題】  畳の移し替えを行うことなく畳表の表面を掃除することが可能で、しかも設置スペースも有利にできる畳縫着装置を提供する。【解決手段】  畳４に対して框縫いを行う畳縫着装置において、集塵機２７と、これにホース２８を介して接続された吸引ヘッド２６とを有する畳掃除機２５を備えた構成とする。畳縫着装置本体１の後部側には、吸引ヘッド２６を載置することが可能な吸引ヘッド載置部１２がある。畳４の畳表６の表面を掃除する場合には、畳４を畳台３に載せた状態で、吸引ヘッド２６を畳表６の表面に沿って移動させることにより行う。【選択図】  図１
2004243101.tif 000002
【特許請求の範囲】
【請求項１】
畳台を有する畳縫着装置本体と、前記畳台に載置された畳に対して框縫いを施す框縫い用ミシンとを備えた畳縫着装置において、
前記畳の表面を掃除する吸引式の畳掃除機を備えたことを特徴とする畳縫着装置。
【請求項２】
前記畳掃除機は、集塵機と、この集塵機にホースを介して接続された吸引ヘッドとを備え、前記畳縫着装置本体は、前記吸引ヘッドを載置しておくための吸引ヘッド載置部を備えていることを特徴とする請求項１記載の畳縫着装置。
【請求項３】
前記吸引ヘッド載置部は、使用時位置と退避位置との間で移動可能であることを特徴とする請求項２記載の畳縫着装置。
【請求項４】
前記畳掃除機は、集塵機と、この集塵機にホースを介して接続された吸引ヘッドとを備え、前記畳縫着装置本体は、前記吸引ヘッドを当該畳縫着装置本体上方の退避位置に吊り下げる吊り下げ手段を備えたことを特徴とする請求項１記載の畳縫着装置。
【発明の詳細な説明】
【技術分野】
【０００１】
本発明は、畳に対して框縫いを施すための畳縫着装置に関する。
【背景技術】
【０００２】
一般に畳は、所定の長さ寸法に切断された畳床の表面に畳表を被せ、畳床の長手方向の両端部（框）において畳表を畳床に縫着する框縫いを行った後、平刺しと返し縫いを行うことにより、畳表の長手方向と直交する両側部に縁（へり）を縫い付けた構成となっている。
ところで、畳床に被せられる畳表としては、天然素材である、いぐさを編んで構成されたものがある。このような構成の畳表においては、そのいぐさの保護などの目的のために、表面に染土（せんど）と呼ばれる土がコーティングされている。このような畳表を用いて製造された畳においては、畳表の表面に上記染土が付着したままであると、その染土が靴下などに粉となって付着して汚れるため、その染土を取り除く必要がある。
【０００３】
そこで従来では、畳表の表面に付着した染土を掃除するための畳掃除機として、他の装置から独立した専用のものがある。従来では、この畳掃除機を次のようにして使用していた。すなわち、例えば框縫い用の畳縫着装置において框縫いの工程が終わった畳を、当該畳縫着装置の畳台から畳掃除機の畳台に移し替え、その畳掃除機において、畳表の表面に付着した染土を吸引除去するようにしていた。
【発明の開示】
【発明が解決しようとする課題】
【０００４】
しかしながら、従来においては、畳表の表面を掃除するために、框縫い用の畳縫着装置の畳台から畳掃除機の畳台へ畳を移し替える必要があり、その作業が面倒である。また、独立した畳掃除機は、畳表の表面を掃除するための専用のものであるため、大型であり、大きな設置スペースを必要とする欠点もあった。
本発明は上記事情に鑑みてなされたものであり、その目的は、畳の移し替えを行うことなく畳表の表面を掃除することが可能で、しかも設置スペースも有利にできる畳縫着装置を提供するにある。
【課題を解決するための手段】
【０００５】
上記の目的を達成するために、請求項１の発明は、畳台を有する畳縫着装置本体と、前記畳台に載置された畳に対して框縫いを施す框縫い用ミシンとを備えた畳縫着装置において、前記畳の表面を掃除する吸引式の畳掃除機を備えたことを特徴とする。
上記した構成において、畳の表面を掃除する場合には、畳縫着装置本体の畳台に畳を載置した状態で、吸引式の畳掃除機により畳の表面を掃除する。このとき、畳は、框縫いを行う際に使用した畳台に載せたままで掃除することができるから、畳を移し替えることなく掃除することができる。また、畳縫着装置の畳台を利用することができるから、畳縫着装置とは独立した専用の畳掃除機を設置する場合に比べて設置スペースを有効に利用することができる。
【０００６】
請求項２の発明は、畳掃除機は、集塵機と、この集塵機にホースを介して接続された吸引ヘッドとを備え、畳縫着装置本体は、前記吸引ヘッドを載置しておくための吸引ヘッド載置部を備えていることを特徴とする。
上記した手段によれば、吸引ヘッドを使用しない場合に、吸引ヘッドを吸引ヘッド載置部に載置しておくことで、その吸引ヘッドの置き場所に困ることがなく、使い勝手が良い。
【０００７】
請求項３の発明は、吸引ヘッド載置部は、使用時位置と退避位置との間で移動可能であることを特徴とする。
吸引ヘッドを使用して掃除する場合には、吸引ヘッド載置部を使用時に適した使用時位置に位置させ、その吸引ヘッド載置部に対して吸引ヘッドを出し入れすることで、吸引ヘッドが使い易い。一方、吸引ヘッドを使用しない場合（例えば框縫い用ミシンで框縫いを行うような場合）には、吸引ヘッドを載置した吸引ヘッド載置部を退避位置へ移動させておくことにより、吸引ヘッド及び吸引ヘッド載置部が邪魔にならないようにすることが可能となる。
【０００８】
請求項４の発明は、畳縫着装置本体に、畳掃除機の吸引ヘッドを当該畳縫着装置本体上方の退避位置に吊り下げる吊り下げ手段を備えたことを特徴とする。
吸引ヘッドを使用しない場合に、その吸引ヘッドを、畳縫着装置本体上方の吊り下げ手段に吊り下げておくことで、吸引ヘッドが邪魔にならないようにできると共に、畳縫着装置本体上方のスペースを有効に利用できる。
【発明を実施するための最良の形態】
【０００９】
以下、本発明の第１の実施形態について図１ないし図８を参照して説明する。
まず、全体の概略構成を示す図１及び図２において、畳縫着装置本体１は、本体フレーム２の上部に畳台３を有していて、この畳台３上に長方形状をなす畳４が、長手方向を図１の左右方向にした状態で載置されるようになっている。図１及び図２に示された畳４は、板状をなす畳床５の表面に、いぐさを編んで構成された畳表６を被せ、畳床５の長手方向の両端部（框）において、畳表６を畳床５に框縫いした状態のものである。
【００１０】
畳縫着装置本体１において、図１の左側には框切断機７が配設され、図１の右側には框縫い用ミシン８が配設されている。このうち、框切断機７は、詳細には説明しないが周知構成のもので、畳台３の長手方向と直交する方向に沿って移動可能に設けられていて、その移動に伴って、畳床５の長手方向の端部をカッターにより切断する機能を有している。また、框縫い用ミシン８も詳細には説明しないが周知構成のもので、畳台３の長手方向と直交する方向にレール１０に沿って移動可能に設けられていて、その移動に伴って、畳台３に載置された畳４に対して框縫いを行う機能を有している。
【００１１】
畳台３のほぼ中央部には、回転円盤１１（図１参照）が設けられている。この回転円盤１１は、畳台３上に載置された畳４（畳床５）を持ち上げて水平方向に回転させる際に使用されるものである。なお、回転円盤１１を上下動させる機構及び回転させる機構は図では省略されている。また、畳縫着装置本体１には、畳４（畳床５）を上方から押えるためのクランプ装置が設けられているが、このクランプ装置も図では省略されている。
【００１２】
畳縫着装置本体１の後部側（図１の上側）には、吸引ヘッド載置部１２が上下方向に移動可能に設けられている。吸引ヘッド載置部１２の下方には、図３及び図４にも示すように、支持フレーム１３が設けられている。この支持フレーム１３は、連結棒１４及び連結フレーム１５を介して畳台３に連結されている。吸引ヘッド載置部１２の下面の中央部には、エアシリンダ１６のピストンロッド１７（図３の二点鎖線参照）が連結されていると共にねじ棒１８が連結され、左右両側にはガイド棒１９が連結されている。
【００１３】
エアシリンダ１６は支持フレーム１３に固定されていて、ピストンロッド１７の上下動に伴い上記吸引ヘッド載置部１２が、図３に実線で示す下方の退避位置と、図３に二点鎖線で示す上方の使用時位置との間で上下方向へ移動されるようになっている。ねじ棒１８は、支持フレーム１３に固定されたＬ字状のストッパ用金具２０の孔に移動可能に挿入されていて、下部にストッパ用ナット２１が螺合されている。この場合、吸引ヘッド載置部１２がピストンロッド１７と共に上昇した際に、ストッパ用ナット２１がストッパ用金具２０に下方から当たることにより、吸引ヘッド載置部１２の上方への移動が規制されるようになっている。ストッパ用ナット２１の位置を調整することにより、吸引ヘッド載置部１２の上方の使用時位置を調整することができる。２本のガイド棒１９は、支持フレーム１３に固定されたＬ字状のガイド用金具２２の孔に移動可能に挿入されている。
【００１４】
そして、上記吸引ヘッド載置部１２には、吸引式の畳掃除機２５の吸引ヘッド２６が出し入れ可能に載置されるようになっている。この畳掃除機２５は、床に設置される集塵機２７と、この集塵機２７にホース２８を介して接続された吸引ヘッド２６とから構成されている。この畳掃除機２５の詳細については、後で説明する。
吸引ヘッド載置部１２の後部側（図１及び図５の上側）には、枠状のホース挿通部２９が設けられていて、このホース挿通部２９に、上記畳掃除機２５のホース２８が挿通されている。ホース挿通部２９における下部及び左右両側部には、ホース２８の移動を円滑にガイドするためのローラ３０，３１が回転可能に設けられている。ホース挿通部２９における上部の前部には、アーム検知スイッチ３２が設けられている。このアーム検知スイッチ３２は、常閉形のスイッチであり、操作子３３が図３の二点鎖線で示す位置に位置された非操作状態ではオン状態で、操作子３３が図３の実線で示すように矢印Ａ方向へ押圧操作されるとオフされる構成となっている。
【００１５】
吸引ヘッド載置部１２の前部には、回動プレート３４が蝶番３５を介して回動可能に設けられている。この回動プレート３４は、吸引ヘッド載置部１２が図３に実線で示す退避位置に移動された状態では、自由端部が上記連結フレーム１５に固定されたプレート案内部３６に当たって立ち上がった状態に保持されていて、吸引ヘッド載置部１２が図３に二点鎖線で示す使用時位置に移動されることに伴い回動して、自由端部が畳４の上面に載るようになる。このとき、回動プレート３４の下面に設けられた凸部３７が、吸引ヘッド載置部１２の前部に設けられた受け部３８に受けられる構成となっている。この状態では、吸引ヘッド載置部１２と畳台３上の畳４との間が回動プレート３４により橋渡しされた状態となり、吸引ヘッド２６を、吸引ヘッド載置部１２と畳台３上の畳４との間で移動させることが可能な状態となる。
【００１６】
一方、上記畳掃除機２５の吸引ヘッド２６は、下面側が開口した矩形箱状をなしていて、その上部のほぼ中央部にホース２８が接続されている。吸引ヘッド２６の長手方向の寸法は、約５０ｃｍの大きさとなっている。この吸引ヘッド２６の下部側には、キャスター４０（図７参照）が複数箇所に設けられていると共に、前後方向のほぼ中央部に左右方向に延びるブラシ４１が回転可能に設けられている。このブラシ４１は、吸引ヘッド２６の上部の側部に設けられたブラシ用モータ４２によりベルト伝動機構４３（図８参照）を介して回転されるようになっている。吸引ヘッド２６の上部においてブラシ用モータ４２とは反対側の側部には、ブラシ用スイッチ４４が設けられている。
【００１７】
吸引ヘッド２６の上面の前部側（図１及び図６の下部側）には、当該吸引ヘッド２６を移動操作するための操作アーム４５が軸４６を中心に回動可能に設けられている。操作アーム４５の基端部には、図３及び図７に示すように、軸４６を中心とした円弧状のガイド孔４７が形成されていて、このガイド孔４７にストッパ用ねじ４８が挿通されている。操作アーム４５は、これらガイド孔４７とストッパ用ねじ４８とによって回動範囲が規制されている。
【００１８】
吸引ヘッド２６の上面の前部側において、操作アーム４５の一方側に対応する部位に、ロック用レバー４９が軸５０を中心に回動可能に設けられている。この場合、操作アーム４５を前方へ回動させると共に、ロック用レバー４９を前方へ回動させた状態（図３の二点鎖線参照）では、操作アーム４５の端部の係合部４５ａがロック用レバー４９の被係合部４９ａに係合することにより、操作アーム４５の矢印Ｂ方向（図３参照）への回動が阻止されるようになっている。吸引ヘッド２６の後部の左右両側に、ローラ５１が回転可能に設けられている。なお、畳縫着装置本体１の前部には、畳掃除機２５の運転を制御するための掃除機用スイッチ５２が設けられている。
【００１９】
次に上記構成の作用を説明する。
まず、畳４に対して框縫いを行う場合について説明する。この場合には、図３の実線で示すように、畳掃除機２５の吸引ヘッド２６を吸引ヘッド載置部１２に載置した状態で、吸引ヘッド載置部１２は下方の退避位置に位置させておく。この状態では、吸引ヘッド２６のロック用レバー４９及び操作アーム４５は、後方へ回動させておく。このとき、操作アーム４５の自由端部が、アーム検知スイッチ３２の操作子３３を押圧していて、アーム検知スイッチ３２はオフ状態となっている。また、回動プレート３４は、自由端部がプレート案内部３６に当たって立ち上がった状態となっている。そしてこの状態では、吸引ヘッド載置部１２及び吸引ヘッド２６は、畳台３の縁部５３の上面よりも低い位置に位置されている。
【００２０】
この状態で、まず、畳床５のみを畳台３に載置した状態で、畳床５の長手方向の両端部を框切断機７により切断し、畳床５の長手方向の寸法を所定の寸法に設定する。この後、畳床５に畳表６を被せ、これらを図示しないクランプ装置で固定した状態で、框縫い用ミシン８により片側の框縫いを行う。この後、クランプ装置の固定を開放した状態で、畳４（畳床５）を回転円盤１１により持ち上げると共に、水平方向に１８０度回転させ、再び畳台３に載置した状態とする。このとき、吸引ヘッド載置部１２が下方の退避位置に位置されているので、吸引ヘッド載置部１２及びこれに載置された吸引ヘッド２６が、その畳４を回転する際に邪魔になることはない。
【００２１】
この後、畳表６を引っ張って張った状態として、畳表６及び畳床５をクランプ装置で固定し、この状態で、框縫い用ミシン８により残りの片側の框縫いを行う。これにより、両側の框縫いが完了し、畳表６の長手方向の両端部が畳床５に縫い付けられた状態となる。
次に、框縫いが終わった上記畳４における畳表６の表面を掃除する場合について説明する。作業者が掃除機用スイッチ５２をオン操作すると、畳掃除機２５の集塵機２７の運転が開始されると共に、エアシリンダ１６のピストンロッド１７が上昇する。集塵機２７の運転が開始されることにより、吸引ヘッド２６による吸引が可能になる。また、ピストンロッド１７が上昇することに伴い、吸引ヘッド載置部１２が上昇し、図３の二点鎖線で示す使用時位置へ移動される。このとき、ねじ棒１８の下端部に取り付けたストッパ用ナット２１がストッパ用金具２０に下方から当たることにより、吸引ヘッド載置部１２の上方への移動が規制される。吸引ヘッド載置部１２の上方への移動に伴い、回動プレート３４が倒れる方向に回動して自由端部が畳４の上面に当接し、吸引ヘッド載置部１２と畳４との間が回動プレート３４により橋渡しされた状態となる。
【００２２】
この状態で、吸引ヘッド２６の操作アーム４５を前方へ回動させると共に、ロック用レバー４９を前方へ回動させる（図３の二点鎖線、図６及び図７参照）。このとき、操作アーム４５を前方へ回動させることに伴い、アーム検知スイッチ３２の操作子３３に対する押圧が解除されるため、アーム検知スイッチ３２はオン状態に切り替わる。また、ロック用レバー４９を前方へ回動させることに伴い、操作アーム４５の係合部４５ａとロック用レバー４９の被係合部４９ａとが係合するようになる。
【００２３】
次に、操作アーム４５を掴んで吸引ヘッド２６を畳４側へ引き出す。このとき、吸引ヘッド載置部１２と畳４との間が回動プレート３４により橋渡しされた状態となっているから、吸引ヘッド２６はその回動プレート３４を通って畳４側へスムーズに引き出される。図１及び図２は、吸引ヘッド２６を畳４側へ引き出した状態が示されている。
そして、吸引ヘッド２６を畳表６の掃除開始位置へ移動させ、ブラシ用スイッチ４４をオン操作する。すると、ブラシ４１が回転する。この状態で、作業者は、操作アーム４５を掴んで吸引ヘッド２６を、畳表６の上面に沿って移動させる。このとき、ブラシ４１の回転で畳表６の表面に付着した染土が掻き落とされると共に、掻き落とされた染土が吸引ヘッド２６の吸込み口から吸い込まれ、集塵機２７側に集められる。このようにして、畳表６の表面を掃除することができる。このとき、吸引ヘッド２６の横幅が５０ｃｍと幅広であるため、畳表６の表面を効率よく掃除することができる。また、吸引ヘッド２６にはブラシ４１が設けられているから、そのブラシ４１により染土を効率よく掻き落とすことができ、掃除を一層効率よく行うことができる。
【００２４】
掃除が終了したら、ブラシ用スイッチ４４をオフ操作することで、ブラシ４１の回転を停止させる。この後、吸引ヘッド２６を吸引ヘッド載置部１２まで移動させて、当該吸引ヘッド載置部１２に載置した状態とする。この後、ロック用レバー４９を後方へ回動させると共に、操作アーム４５を後方へ回動させる。操作アーム４５を後方へ回動させた際に、当該操作アーム４５の先端部によりアーム検知スイッチ３２の操作子３３を押圧操作することで、アーム検知スイッチ３２はオフ状態となる。
【００２５】
次に、掃除機用スイッチ５２をオフ操作すると、畳掃除機２５の集塵機２７の運転が停止されると共に、エアシリンダ１６のピストンロッド１７が下降する。このとき、アーム検知スイッチ３２がオフしていない場合（操作アーム４５が畳まれていない場合）には、掃除機用スイッチ５２をオフ操作しても、ピストンロッド１７は下降しない。ピストンロッド１７が下降することに伴い、吸引ヘッド載置部１２が下降して退避位置（図３の実線参照）へ移動される。このとき、回動プレート３４は、プレート案内部３６に当たりながら立ち上がるように回動する。以上により、畳４の表面の掃除の工程が完了する。
【００２６】
上記した実施例によれば、次のような効果を得ることができる。まず、畳４の表面を掃除する場合には、畳４を、框縫いを行う際に使用した畳台３に載せたままで掃除することができるから、畳４を移し替えることなく掃除することができる。また、畳縫着装置の畳台３を利用することができるから、畳縫着装置とは独立した専用の畳掃除機を設置する場合に比べて設置スペースを有効に利用することができる。
【００２７】
畳装着装置本体１に、畳掃除機２５の吸引ヘッド２６を載置しておくための吸引ヘッド載置部１２を設けているので、吸引ヘッド２６を使用しない場合に、吸引ヘッド２６を吸引ヘッド載置部１２に載置しておくことで、その吸引ヘッド２６の置き場所に困ることがなく、使い勝手が良い。
吸引ヘッド載置部１２は、使用時位置と退避位置との間で移動可能に構成したので、吸引ヘッド２６を使用して掃除する場合には、吸引ヘッド載置部１２を使用時に適した使用時位置に位置させ、その吸引ヘッド載置部１２に対して吸引ヘッド２６を出し入れすることで、吸引ヘッド２６が使い易い。一方、吸引ヘッド２６を使用しない場合（例えば框縫い用ミシンで框縫いを行うような場合）には、吸引ヘッド２６を載置した吸引ヘッド載置部１２を退避位置へ移動させておくことにより、吸引ヘッド２６及び吸引ヘッド載置部１２が畳台３の縁部５３よりも下方に位置されるようになり、邪魔にならないようにすることが可能となる。
【００２８】
また、吸引ヘッド載置部１２に回動プレート３４を設けていて、吸引ヘッド載置部１２と畳４との間をその回動プレート３４により橋渡しすることができるので、吸引ヘッド載置部１２に対する吸引ヘッド２６の出し入れを容易に行うことができる。
さらに、吸引ヘッド２６に操作アーム４５を設けながらも、その操作アーム４５を回動可能とすることで、操作アーム４５を使用しない場合にその操作アーム４５が邪魔にならないようにできる。
【００２９】
図９ないし図１１は本発明の第２の実施形態を示したものであり、この第２の実施形態は、上記した第１の実施形態とは次の点が異なっている。すなわち、図９及び図１０において、畳縫着装置本体１の後部側（図９では上側、図１０では左側）に、吸引ヘッド載置部１２に代えて、上下方向に延びる支柱６０が立設されている。この支柱６０は、床の上に設置された支柱用ベース６１に固定されていて、その上端部は畳縫着装置本体１の上面よりも相当高くなっている。支柱６０は、畳縫着装置本体１の本体フレーム２に連結部材６２を介して連結されている。
【００３０】
支柱６０の上部には、支持アーム６３が前方に向けて突出する状態で設けられている。この支持アーム６３は、畳縫着装置本体１の上方に位置させて、片持ち状態でほぼ水平状態に支持されている。この支持アーム６３と支柱６０との間には、支持アーム６３を水平状態に支持する補助支持部材６４が設けられている。
支持アーム６３の先端部側の下面には、吊り下げ手段を構成する電動式の巻上機６５が取り付けられている。この巻上機６５は、電気ホイストとも呼ばれるもので、図示しないモータにより巻き上げられたり、巻き戻されたりするチェーン６６を有すると共に、そのチェーン６６の先端部にフック６７を有している。巻上機６５には、電気コード６８を介して巻上機用スイッチ６９が接続されていて、電気コード６８が支持アーム６３に沿わせて配置されている。巻上機用スイッチ６９には、上用スイッチ７０と下用スイッチ７１とが設けられている。このうち、上用スイッチ７０を押圧操作すると、チェーン６６が巻き上げられてフック６７が上昇し、その押圧操作を解除すると巻上動作が停止する。また、下用スイッチ７１を押圧操作すると、チェーン６６が巻き戻されてフック６７が下降し、その押圧操作を解除すると巻き戻し動作が停止するようになっている。
【００３１】
一方、上記畳掃除機２５における吸引ヘッド２６の上面には、図１１にも示すように引掛け部７２を設けていて、その引掛け部７２に上記フック６７を引っ掛けることができるようにしている。図９の実線の状態は、引掛け部６８をフック６７に引っ掛けた状態で、巻上機６５のチェーン６６を巻き上げて吸引ヘッド２６を畳縫着装置本体１上方の退避位置に吊り下げた状態が示されている。なお、支持アーム６３の基端部側にはホース保持部７３が設けられていて、畳掃除機２５におけるホース２８の中間部をそのホース保持部７３に保持させている。また、畳縫着装置本体１の前部には、畳掃除機２５の運転を制御するための掃除機用スイッチ７４が設けられている。
【００３２】
次に上記構成の作用を説明する。畳掃除機２５を使用しない場合には、図１０の実線で示すように、吸引ヘッド２６を巻上機６５により畳縫着装置本体１上方の退避位置に吊り下げた状態にしておく。このようにしておくことで、吸引ヘッド２６の置き場所に困らず、また、それが邪魔になることも防止できる。
一方、畳台３上に載置された畳４における畳表６の表面を掃除する場合には、巻上機用スイッチ６９の下用スイッチ７１を押圧操作する。すると、チェーン６６が巻き戻されて吸引ヘッド２６が下降する。吸引ヘッド２６が畳表６の上面に降りたら（図１０の二点鎖線参照）、巻き戻し動作を停止させ、引掛け部７２からフック６７を外し、この後、巻上機用スイッチ６９の上用スイッチ７０を押圧操作してチェーン６６を巻き上げ、フック６７を上方の邪魔にならない位置に上昇させておく。
【００３３】
この状態で、吸引ヘッド２６の操作アーム４５を掴んで、吸引ヘッド２６を畳表６の掃除開始位置へ移動させ、掃除機用スイッチ７４をオン操作すると共に、ブラシ用スイッチ４４をオン操作する。このうち、掃除機用スイッチ７４をオン操作することで畳掃除機２５の集塵機２７の運転が開始され、吸引ヘッド２６による吸引が可能になる。また、ブラシ用スイッチ４４をオン操作することで、ブラシ４１が回転するようになる。この状態で、作業者は、操作アーム４５を掴んで吸引ヘッド２６を、畳表６の上面に沿って移動させることにより、畳表６を掃除する。
【００３４】
掃除が終了したら、ブラシ用スイッチ４４をオフ操作することで、ブラシ４１の回転を停止させ、また、掃除機用スイッチ７４をオフ操作することで、集塵機２７の運転を停止させる。この後、吸引ヘッド２６をフック６７の下方となる位置まで移動させると共に、巻上機用スイッチ６９の下用スイッチ７１を操作してフック６７を下降させ、フック６７を吸引ヘッド２６の引掛け部７２に引っ掛ける。そして、巻上機用スイッチ６９の上用スイッチ７０を操作して吸引ヘッド２６を上昇させ、図１０の実線で示す退避位置に保持しておく。
【００３５】
上記した第２の実施形態においては、特に、吸引ヘッド２６を使用しない場合に、その吸引ヘッド２６を、畳縫着装置本体１上方の巻上機６５に吊り下げておくことで、吸引ヘッド２６が邪魔にならないようにできる。また、畳縫着装置本体１上方のスペースを有効に利用できる。
図１２ないし１４は本発明の第３の実施形態を示したものであり、この第３の実施形態は第１の実施形態とは次の点が異なっている。すなわち、図１２及び図１３において、畳縫着装置本体１の前部側（図１２では下側、図１３では右側）に、畳台３の長手方向に延びる２本の平行なガイドレール８０が設けられている。これらガイドレール８０は、畳台３から図１２中、左方向へ突出している。なお、図１２は、畳縫着装置本体１の右側を省略して示している。
【００３６】
そして、畳縫着装置本体１の前部側（図１２では下側、図１３では右側）に掃除機収納台８１が配置されている。この掃除機収納台８１には２本の連結部材８２が設けられていて、これら連結部材８２の先端部に回転自在に設けられた回転体８３が、上記ガイドレール８０間に回転可能に挿入されていて、掃除機収納台８１は、そのガイドレール８０に沿って移動可能に設けられている。掃除機収納台８１の下面には、キャスター８４が設けられている。
【００３７】
掃除機収納台８１には、畳掃除機２５における集塵機２７を載置する集塵機載置部８５と、吸引ヘッド２６を載置する吸引ヘッド載置部８６とが設けられている。また、吸引ヘッド載置部２６の畳台３側には、回動プレート３４が回動可能に設けられていと共に、操作ハンドル８７が回動可能に設けられている。操作ハンドル８７を、図１２及び図１３の実線で示す位置に回動させた状態では、当該操作ハンドル８７により回動される回動凸部８８が、回動プレート３４の裏側の凸部３７（図３及び図４参照）を下方から押し上げることにより、回動プレート３４が実線で示す上位置に位置される。回動プレート３４が実線で示す上位置に位置された状態では、回動プレート３４の先端部は、畳４の上面から離間している。
【００３８】
図１３において、操作ハンドル８７を二点鎖線で示す位置へ回動させると、回動凸部８８が回動して当該回動凸部８８による回動プレート３４の押し上げが解除され、回動プレート３４が自重で畳４側に回動されて、二点鎖線で示すように、回動プレート３４の先端部が畳４の上面に支持されるようになる。なお、吸引ヘッド２６には、ホース８の一部を固定するホース固定部８９が設けられている。また、掃除機用スイッチ９０は、畳縫着装置本体１において、掃除機収納台８１の移動に支障のない部位に設けられている。
【００３９】
次に上記構成の作用を説明する。畳台３上に載置された畳４における畳表６の表面を掃除する場合には、畳掃除機２５を載せた掃除機収納台８１を、図１２に示すように畳台３の前側に移動させる。そして、操作ハンドル８７を操作して回動プレート３４を畳４側に回動させ、図１３に二点鎖線で示すように、回動プレート３４の先端部を畳４の上面に接触させた状態にする。これにより、吸引ヘッド載置部８６と畳４との間が回動プレート３４により橋渡しされた状態となる。
【００４０】
この状態で、吸引ヘッド２６を、回動プレート３４上を通って畳４側へ移動させる（図１２及び図１３の二点鎖線参照）。この後、操作ハンドル８７を操作して回動プレート３４を上位置まで回動させた状態で、掃除機収納台８１を、図１４に示す左の退避位置へ移動させておく。そして、吸引ヘッド２６を畳表６の掃除開始位置へ移動させ、掃除機用スイッチ９０をオン操作すると共に、ブラシ用スイッチ４４をオン操作する。このうち、掃除機用スイッチ９０をオン操作することで畳掃除機２５の集塵機２７の運転が開始され、吸引ヘッド２６による吸引が可能になる。また、ブラシ用スイッチ４４をオン操作することで、ブラシ４１が回転するようになる。この状態で、作業者は、操作アーム４５を掴んで吸引ヘッド２６を、畳表６の上面に沿って移動させることにより、畳表６を掃除する。
【００４１】
掃除が終了したら、ブラシ用スイッチ４４をオフ操作することで、ブラシ４１の回転を停止させ、また、掃除機用スイッチ９０をオフ操作することで、集塵機２７の運転を停止させる。この後、掃除機収納台８１を、再び畳台３の前部まで移動させると共に、回動プレート３４を畳４上に下ろし、吸引ヘッド載置部８６と畳４との間を回動プレート３４により橋渡しした状態とする。この状態で、吸引ヘッド２６を、回動プレート３４上を通って吸引ヘッド載置部８６へ移動させ、その吸引ヘッド載置部８６に載置した状態とする。
【００４２】
この後、操作ハンドル８７を操作して回動プレート３４を上位置まで回動させた状態で、掃除機収納台８１を、ガイドレール８０に沿って、図１４に示す左の退避位置へ移動させておく。
上記した第３の実施形態においては、特に、吸引ヘッド２６を掃除機収納台８１の吸引ヘッド載置部８６に載置した状態で、掃除機収納台８１を左の退避位置へ移動させておくことで、畳掃除機２５が邪魔にならないようにできる。しかもこの場合、集塵機２７及び吸引ヘッド２６を含む畳掃除機２５全体を掃除機収納台８１に収納しておくことができるので、集塵機２７の置き場所に苦慮することもない。
【００４３】
本発明は、上記した実施形態にのみ限定されるものではなく、次のように変形または拡張できる。例えば、第３の実施形態において、掃除機収納台８１と畳縫着装置本体１との連結関係をなくし、掃除機収納台８１を畳縫着装置本体１に対して分離可能に設けるようにしても良い。このような構成とした場合には、掃除機収納台８１を、畳縫着装置本体１から離れた場所に退避させておくことも可能となる。
【図面の簡単な説明】
【００４４】
【図１】本発明の第１の実施形態を示すもので、畳掃除機の吸引ヘッドを畳の上に位置させた状態における全体の概略構成を示す平面図
【図２】一部を破断して示す左側面図
【図３】吸引ヘッド載置部に吸引ヘッドを載置した状態での要部の破断左側面図
【図４】吸引ヘッド載置部が退避位置にある状態における吸引ヘッド載置部付近の破断正面図
【図５】同状態における吸引ヘッド載置部部分の平面図
【図６】吸引ヘッドの平面図
【図７】吸引ヘッドの右側面図
【図８】吸引ヘッドの縦断正面図
【図９】本発明の第２の実施形態を示すもので、全体の概略構成を示す平面図
【図１０】一部を破断して示す左側面図
【図１１】吸引ヘッドの縦断正面図
【図１２】本発明の第３の実施形態を示すもので、畳縫着装置の右側部分を省略した状態で示す平面図
【図１３】一部を破断して示す左側面図
【図１４】掃除機収納台を退避位置へ移動させた状態での要部の平面図
【符号の説明】
【００４５】
図面中、１は畳縫着装置本体、３は畳台、４は畳、５は畳床、６は畳表、７は框切断機、８は框縫い用ミシン、１２は吸引ヘッド載置部、１６はエアシリンダ、２５は畳掃除機、２６は吸引ヘッド、２７は集塵機、２８はホース、３４は回動プレート、４０はキャスター、４１はブラシ、４５は操作アーム、５２は掃除機用スイッチ、６０は支柱、６３は支持アーム、６５は巻上機（吊り下げ手段）、６７はフック、６９は巻上機用スイッチ、７２は引掛け部、７４は掃除機用スイッチ、８０はガイドレール、８１は掃除機収納台、８６は吸引ヘッド載置部、９０は掃除機用スイッチを示す。
【図１】
2004243101.tif 000003
【図２】
2004243101.tif 000004
【図３】
2004243101.tif 000005
【図４】
2004243101.tif 000006
【図５】
2004243101.tif 000007
【図６】
2004243101.tif 000008
【図７】
2004243101.tif 000009
【図８】
2004243101.tif 000010
【図９】
2004243101.tif 000011
【図１０】
2004243101.tif 000012
【図１１】
2004243101.tif 000013
【図１２】
2004243101.tif 000014
【図１３】
2004243101.tif 000015
【図１４】
2004243101.tif 000016